(57)【要約】【課題】  できるだけ少ないエネルギー消費で快適な室内温熱環境を確保するとともに、在室者に対して的確な空調制御を行う際の制御操作を支援する空調制御支援データ生成装置、空調制御支援データ表示装置、および空調制御支援データ生成方法を提供する。【解決手段】  在室者からの空調制御に対するクレームに関するクレームデータを取得したときに、制御対象の室内環境および在室者の状態を示す値を取得するデータ取得部２１と、取得された制御対象の室内環境および在室者の状態を示す値からＰＭＶ値を算出するＰＭＶ値演算部２２と、データ取得部２１で取得されたクレームデータと、ＰＭＶ値演算部２２で算出されたＰＭＶ値とから、制御対象の室内における各ＰＭＶ値に対するクレーム数の割合を示す空調制御支援データを生成する表示データ生成部２４とを備える。【選択図】  図１
2009109033.tif 000002
【特許請求の範囲】
【請求項１】
在室者からの空調制御に対するクレームに関するクレームデータを取得したときに、制御対象の室内環境および在室者の状態を示す値を取得するデータ取得部と、
前記データ取得部で取得された制御対象の室内環境および在室者の状態を示す値からＰＭＶ値を算出するＰＭＶ値演算部と、
前記データ取得部で取得されたクレームデータと、前記ＰＭＶ値演算部で算出されたＰＭＶ値とから、前記制御対象の室内における各ＰＭＶ値に対するクレーム数の割合を示す空調制御支援データを生成する表示データ生成部と、
を備えることを特徴とする空調制御支援データ生成装置。
【請求項２】
前記空調制御支援データ生成装置で生成された空調制御支援データを表示する表示部
を備えることを特徴とする空調制御支援データ表示装置。
【請求項３】
在室者からの空調制御に対するクレームに関するクレームデータを取得したときに、制御対象の室内環境および在室者の状態を示す値を取得するデータ取得ステップと、
前記データ取得ステップで取得された制御対象の室内環境および在室者の状態を示す値からＰＭＶ値を算出するＰＭＶ値演算ステップと、
前記データ取得ステップで取得されたクレームデータと、前記ＰＭＶ値演算ステップで算出されたＰＭＶ値とから、前記制御対象の室内における各ＰＭＶ値に対するクレーム数の割合を示す空調制御支援データを生成する表示データ生成ステップと、
を備えることを特徴とする空調制御支援データ生成方法。
【発明の詳細な説明】
【技術分野】
【０００１】
本発明は、オフィスビルや工場などの空調制御操作を支援するための空調制御支援データ生成装置、空調制御支援データ表示装置、および空調制御支援データ生成方法に関する。
【背景技術】
【０００２】
近年、オフィスビルや工場などにおける空調制御においては、できるだけ少ないエネルギー消費で快適な室内温熱環境を確保することが求められている。
【０００３】
しかし、この省エネと快適な室内温熱環境の確保とはトレードオフの関係にあり、省エネを優先させると室内温熱環境が悪化して在室者からのクレームが多くなり、室内温熱環境を向上させて在室者からのクレームを少なくさせると使用エネルギーが増加して省エネに繋がらないことが多い。
【０００４】
ところで、このようなオフィスビルや工場などでは、多くの場合、人が感じる快適度を示す指数であるＰＭＶ（Predicted Mean Vote）値を参照して運用者の操作により空調制御が行われている。
【０００５】
このＰＭＶ値とは、ファンガー（Ｆａｎｇｅｒ）氏によって提案されたもので、同氏により発表された快適方程式により、快適度を７段階（＋３；暑い，＋２；暖かい，＋１；やや暖かい，０；どちらでもない、快適，−１；やや涼しい，−２；涼しい，−３；寒い）で表現したものでこの値が０の時が快適となる。
【０００６】
ＰＭＶ値は、暑い、寒いなどの気温の変化だけではなく、代謝量（身体の活動状況）、着衣量、温度、湿度、平均輻射温度、気流速度の６つの要素を組み合わせて快適さの指数から算出されるため、より人間の体感に合った空調制御を行うことができる。
【０００７】
ＰＭＶ値を利用した技術として、特許文献１に示す空調制御システムがある。
【０００８】
この特許文献１の空調制御システムは、在室者個人毎のＰＭＶ値の平均値を算出し、この平均値に基づいて空調制御を行うことにより、多数の人が快適になるように制御するものである。
【特許文献１】特開２００５−７７０６６号公報
【発明の開示】
【発明が解決しようとする課題】
【０００９】
しかし、上記のような従来のＰＭＶ値を利用した空調制御システムでは、ＰＭＶ値を参照して運用者が空調設備の制御を行う場合、運用者の勘に頼るところが大きく、省エネよりも室内温熱環境の向上を優先させて在室者からのクレームが来ないように設定することが多いため、省エネ効果を得ることができないという問題があった。
【００１０】
また、この参照するＰＭＶ値は、室内環境を測定するセンサ周囲の値と在室者がいる位置の値とでは異なることが多く、在室者に対して高い精度で的確な空調制御を行うことが難しいという問題があった。
【００１１】
よって本発明の目的は、できるだけ少ないエネルギー消費で快適な室内温熱環境を確保するとともに、在室者に対して的確な空調制御を行う際の制御操作を支援する空調制御支援データ生成装置、空調制御支援データ表示装置、および空調制御支援データ生成方法を提供することを目的とする。
【課題を解決するための手段】
【００１２】
上記目的を達成するための本発明の空調制御支援データ生成装置は、在室者からの空調制御に対するクレームに関するクレームデータを取得したときに、制御対象の室内環境および在室者の状態を示す値を取得するデータ取得部と、前記データ取得部で取得された制御対象の室内環境および在室者の状態を示す値からＰＭＶ値を算出するＰＭＶ値演算部と、前記データ取得部で取得されたクレームデータと、前記ＰＭＶ値演算部で算出されたＰＭＶ値とから、前記制御対象の室内における各ＰＭＶ値に対するクレーム数の割合を示す空調制御支援データを生成する表示データ生成部とを備えることを特徴とする。
【００１３】
また、本発明の空調制御支援データ表示装置は、前記空調制御支援データ生成装置で生成された空調制御支援データを表示する表示部を備えることを特徴とする。
【００１４】
また、本発明の空調制御支援データ生成方法は、在室者からの空調制御に対するクレームに関するクレームデータを取得したときに、制御対象の室内環境および在室者の状態を示す値を取得するデータ取得ステップと、前記データ取得ステップで取得された制御対象の室内環境および在室者の状態を示す値からＰＭＶ値を算出するＰＭＶ値演算ステップと、前記データ取得ステップで取得されたクレームデータと、前記ＰＭＶ値演算ステップで算出されたＰＭＶ値とから、前記制御対象の室内における各ＰＭＶ値に対するクレーム数の割合を示す空調制御支援データを生成する表示データ生成ステップとを備えることを特徴とする。
【発明の効果】
【００１５】
本発明の空調制御支援データ生成装置、空調制御支援データ表示装置、および空調制御支援データ生成方法によれば、できるだけ少ないエネルギー消費で快適な室内温熱環境を確保するとともに、在室者に対して的確な空調制御を行う際の制御操作を支援することができる。
【発明を実施するための最良の形態】
【００１６】
本発明の一実施形態による空調制御支援データ生成装置を利用した空調制御システムについて、図面を参照して説明する。
【００１７】
〈一実施形態による空調制御システムの構成〉
本発明の一実施形態による空調制御支援データ生成装置を利用した空調制御システム１の構成について、図１を参照して説明する。
【００１８】
本実施形態による空調制御システム１は、空調制御支援データ表示装置として機能し空調制御の運用操作を行う運用者が管理する運用者管理装置１０と、空調制御支援データ生成装置として機能するデータサーバ２０と、制御対象の室内環境および在室者の状態を示す値を入力する入力端末３０と、制御対象の室内環境の測定を行う温度センサ４０、湿度センサ５０、および輻射温度センサ６０と、制御対象の室内の空調を制御する空調機７０と、空調機７０の状態を示す値を取得して入力する入力端末７０とを有する。
【００１９】
運用者管理装置１０は、クレームデータ入力部１１と、表示データ取得要求部１２と、表示部１３とを有する。
【００２０】
クレームデータ入力部１１は、在室者から「暑い」「寒い」等の空調に関するクレームがあった際に、運用者の操作によりこのクレーム内容を示すクレームデータを入力する。
【００２１】
表示データ取得要求部１２は、運用者の操作により、空調制御に利用する空調制御支援データを表示させるための表示データ取得要求が入力されると、この表示データ取得要求をデータサーバ２０に送信する。
【００２２】
表示部１３は、データサーバ２０から送信された表示データを表示する。
【００２３】
データサーバ２０は、データ取得部２１と、ＰＭＶ値演算部２２と、データ記憶部２３と、表示データ生成部２４とを有する。
【００２４】
データ取得部２１は、クレームデータ入力部１１から送信されたクレームデータを受信し、後述する入力端末３０から制御対象の室内環境および在室者の状態を示す値を取得する。
【００２５】
ＰＭＶ値演算部２２は、データ取得部２１で取得された制御対象の室内環境および在室者の状態を示す値から、ＰＭＶ値を算出する。
【００２６】
データ記憶部２３は、データ取得部２１で取得された制御対象の室内環境および在室者の状態を示す値と、クレームデータと、ＰＭＶ値演算部２２で算出されたＰＭＶ値とを記憶する。
【００２７】
表示データ生成部２４は、表示データ取得要求部１２から表示データ取得要求が受信されると、データ記憶部２３に記憶されたデータに基づいて空調制御支援データで構成される表示データを生成する。
【００２８】
入力端末３０は、温度センサ４０、湿度センサ５０、および輻射温度センサ６０から測定値を取得するとともに、予め設定された在室者の着衣量、活動量を示す値、および気流速度を取得し、データサーバ２０に入力する。
【００２９】
〈一実施形態による空調制御システムの動作〉
次に、本実施形態による空調制御システム１の動作について、図２のフローチャートを参照して説明する。
【００３０】
本実施形態においては、温度センサ４０、湿度センサ５０、および輻射温度センサ６０において所定間隔で測定値が取得されて入力端末３０に送信されている。また、入力端末３０では、予め設定された在室者の着衣量、活動量を示す値、および気流速度が取得されている。
【００３１】
また、入力端末７０では、空調機７０から空調機のＯＮ／ＯＦＦを示す値、設定温度が所定間隔で取得されている。
【００３２】
このような状態で、在室者から「暑い」「寒い」等の空調に関するクレームがあると、運用者の操作によりこのクレーム内容を示すクレームデータが運用者管理装置１０のクレームデータ入力部１１から入力される（Ｓ１）。
【００３３】
入力されたクレームデータは、入力された時点の日時情報とともにデータサーバ２０のデータ取得部２１に送信される。
【００３４】
データ取得部２１では、クレームデータ入力部１１から送信されたクレームデータが受信されると、入力端末３０から最新の制御対象の室内環境である温度センサ４０、湿度センサ５０、および輻射温度センサ６０の測定値、および在室者の着衣量、活動量を示す値、および気流速度（固定）が取得され、また、入力端末７０から空調機７０のＯＮ／ＯＦＦ、設定温度を示す値が取得される（Ｓ２）。
【００３５】
データ取得部２１で取得された制御対象の室内環境および在室者の状態を示す値はＰＭＶ値演算部２２に送出され、また、クレームデータ、制御対象の室内環境および在室者の状態を示す値、空調機の状態を示す値はデータ記憶部２３に送出される。
【００３６】
ＰＭＶ値演算部２２では、データ取得部２１から制御対象の室内環境および在室者の状態を示す値が取得されると、これらの値に基づいてＰＭＶ値が算出され、データ記憶部２３に送出される（Ｓ３）。
【００３７】
データ記憶部２３ではデータ取得部２１から取得されたクレームデータ、制御対象の室内環境および在室者の状態を示す値、空調機の状態を示す値、ＰＭＶ値演算部２２から取得されたＰＭＶ値が図３に示すようにデータベースに記憶される（Ｓ４）。
【００３８】
図３のデータベースにおいては、クレームデータが入力される毎に、日時情報、クレームの内容（「暑い」ときは「０」、「寒い」ときは「１」）、空調機のＯＮ／ＯＦＦを示す「ＡＨＵ」（「ＯＮ」のときは「１」、「ＯＦＦ」のときは「０」）、空調機で設定されている温度、制御対象の室内の温度、湿度、輻射温度、在室者の活動量、着衣量、日射量が、それぞれ数値化され記憶されている。
【００３９】
これらのデータがデータ記憶部２３に記憶されている状態で、運用者の操作により運用者管理装置１０の表示データ取得要求部１２から空調制御に利用する空調制御支援データを表示させるための表示データ取得要求が入力されると、この表示データ取得要求がデータサーバ２０の表示データ生成部２４に送信される（Ｓ５）。
【００４０】
表示データ生成部２４では、表示データ取得要求が受信されるとデータ記憶部２３に記憶されたデータに基づいて、空調制御支援データで構成される表示データが生成される（Ｓ６）。
【００４１】
生成された表示データの一例を、図４に示す。
【００４２】
図４の表示データは、データ記憶部２３から取得されたクレーム数と、前記ＰＭＶ値演算部で算出されたＰＭＶ値とから、制御対象の室内におけるクレーム数の割合が、所定範囲のＰＭＶ値ごとに示された空調制御支援データで構成されている。本実施形態において空調制御支援データのクレーム数の割合は、ＰＭＶ値が０．０５の範囲ごとに集計され構成されている。
【００４３】
図４においては、各センサ周辺のＰＭＶ値と在室者の位置におけるＰＭＶ値とには差があるため、ＰＭＶ値「０．１５」のときが最もクレーム数が少なくなっている。また、全体のクレーム数に対する各ＰＭＶ値のクレーム数の割合（％）は、「暑さ」に対してはＰＭＶ値が０．３未満のときに１０％以下になっている。
【００４４】
このように生成された表示データは運用者管理装置１０の表示部１３に送信されて表示され、運用者の空調制御操作に利用される（Ｓ７）。
【００４５】
運用者により例えば図４の表示データが参照されて空調制御操作が行われる際は、最もクレームが少ないＰＭＶ値が「０」から「０．１５」にずれていること、および、クレーム発生率を１０％以下に抑えるには「暑さ」に対してはＰＭＶ値を０．３未満にする必要があることが考慮され、目標ＰＭＶ値が設定される。
【００４６】
以上の本実施形態の空調制御システムによれば、制御対象の室内の在室者からクレームがあった際に算出されるＰＭＶ値に基づいて空調制御支援データが生成され表示されるため、運用者は在室者に対して的確な空調制御を行うことができ、また、クレーム発生率が一定基準以下となるＰＭＶ値の範囲を表示から判断可能であるため、運用者がこの範囲内で在室者の快適さとエネルギー消費量とを同時に考慮して空調制御操作を行う際の支援をすることができる。
【図面の簡単な説明】
【００４７】
【図１】本発明の一実施形態による空調制御支援データ生成装置および空調制御支援データ表示装置を利用した空調制御システムの構成を示すブロック図である。
【図２】本発明の一実施形態による空調制御支援データ生成装置および空調制御支援データ表示装置を利用した空調制御システムの動作を示すフローチャートである。
【図３】本発明の一実施形態による空調制御支援データ生成装置に記憶されたデータベースの一例を示す表である。
【図４】本発明の一実施形態による空調制御支援データ表示装置に表示された表示データの一例を示す表示図である。
【符号の説明】
【００４８】
１…空調制御システム
１０…運用者管理装置
１１…クレームデータ入力部
１２…表示データ取得要求部
１３…表示部
２０…データサーバ
２１…データ取得部
２２…ＰＭＶ値演算部
２３…データ記憶部
２４…表示データ生成部
３０…入力端末
４０…温度センサ
５０…湿度センサ
６０…輻射温度センサ
７０…入力端末
８０…空調機
【図１】
2009109033.tif 000003
【図２】
2009109033.tif 000004
【図３】
2009109033.tif 000005
【図４】
2009109033.tif 000006